(57)【要約】  ポイントを発行する事業者のコンピュータシステムと貴金属商のコンピュータシステムとを連携させる。  貴金属地金管理システム１は、第１ないし第ｎのポイント管理システム２のそれぞれにユーザがログインするためのログイン用情報、第１ないし第ｎのポイントそれぞれの単位点数当たりの価値を示す第１ないし第ｎのポイント価値データ、および貴金属地金の単位量当たりの価格を記憶している。貴金属地金管理システム１は、これらのログイン用情報によって各ポイント管理システム２へアクセスし、ユーザの有する第１ないし第ｎのポイントの点数を問い合わせる。そして、ユーザの有する第１ないし第ｎのポイントと交換することができる貴金属地金の量をユーザの端末装置に対して送信し、交換する量の指定をユーザの端末装置から受け付け、交換のための処理を行う。
2013186821.tif 000002
【特許請求の範囲】
【請求項１】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムであって、
前記第１ないし第ｎのポイント管理システムのそれぞれに前記ユーザがログインするためのログイン用情報をそれぞれ示す第１ないし第ｎのログイン用データを記憶するログイン用データ記憶手段と、
前記第１ないし第ｎのポイントそれぞれの単位点数当たりの価値を示す第１ないし第ｎのポイント価値データを記憶するポイント価値データ記憶手段と、
貴金属地金の単位量当たりの価格を示す貴金属地金価格データを記憶する貴金属地金価格データ記憶手段と、
前記第１ないし第ｎのポイント管理システムに前記第１ないし第ｎのログイン用データをそれぞれ用いてアクセスし、当該第１ないし前記第ｎのポイント管理システムそれぞれから、前記第１ないし第ｎのポイントそれぞれの、前記ユーザの有効な点数である有効点数を示す第１ないし第ｎの有効点数データを取得する、有効点数データ取得手段と、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する、交換可能量算出手段と、
前記第１ないし第ｎのポイントそれぞれの前記交換可能量を纏めて表示するための表示用データを前記端末装置へ送信する表示用データ送信手段と、
前記第１ないし第ｎのポイントごとの前記貴金属地金と交換する量である交換希望量を示す交換希望量データを前記端末装置から受信する交換希望量データ受信手段と、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する、交換点数送信手段と、
前記第１ないし第ｎのポイントそれぞれの前記交換希望量の合計分の前記貴金属地金を前記ユーザに対して与えるための処理を行う貴金属地金付与手段と、
を有することを特徴とする貴金属地金管理システム。
【請求項２】
前記第１ないし第ｎのポイント管理システムのそれぞれに対して、前記第１ないし第ｎのポイントそれぞれの前記交換点数を前記貴金属地金に交換した代金の支払を要求するため処理を行う、支払要求手段、を有する、
請求項１に記載の貴金属地金管理システム。
【請求項３】
前記表示用データ送信手段は、前記表示用データとして、前記第１ないし第ｎのポイントそれぞれの前記交換可能量とともに、当該第１ないし第ｎのポイントそれぞれの前記有効点数と、当該第１ないし第ｎのポイントごとの前記交換希望量を入力するためのオブジェクトとを表示するためのデータを送信する、
請求項１または請求項２に記載の貴金属地金管理システム。
【請求項４】
前記ログイン用データ記憶手段は、前記第１ないし第ｎのポイント管理システムそれぞれから送信されてきた前記第１ないし第ｎのログイン用データを記憶する、
請求項１ないし請求項３のいずれかに記載の貴金属地金管理システム。
【請求項５】
前記貴金属地金価格データ記憶手段は、前記貴金属地金価格データとして、前記第１ないし第ｎのポイントそれぞれを前記貴金属地金に交換する際の単位量当たりの価格を示す第１ないし第ｎの貴金属地金価格データを記憶し、
前記交換可能量算出手段は、前記第１ないし第ｎのポイントそれぞれの前記交換可能量を、前記第１ないし第ｎの貴金属地金価格データに基づいて算出する、
請求項１ないし請求項４のいずれかに記載の貴金属地金管理システム。
【請求項６】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムに、
前記第１ないし第ｎのポイント管理システムのそれぞれに前記ユーザがログインするためのログイン用情報をそれぞれ示す第１ないし第ｎのログイン用データを記憶するログイン用データ記憶手段を設けておき、
前記第１ないし第ｎのポイントそれぞれの単位点数当たりの価値を示す第１ないし第ｎのポイント価値データを記憶するポイント価値データ記憶手段を設けておき、
貴金属地金の単位量当たりの価格を示す貴金属地金価格データを記憶する貴金属地金価格データ記憶手段を設けておき、
前記第１ないし第ｎのポイント管理システムに前記第１ないし第ｎのログイン用データをそれぞれ用いてアクセスし、当該第１ないし前記第ｎのポイント管理システムそれぞれから、前記第１ないし第ｎのポイントそれぞれの、前記ユーザの有効な点数である有効点数を示す第１ないし第ｎの有効点数データを取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータシステム連携方法。
【請求項７】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができ、前記第１ないし第ｎのポイント管理システムのそれぞれに前記ユーザがログインするためのログイン用情報をそれぞれ示す第１ないし第ｎのログイン用データを記憶するログイン用データ記憶手段と、前記第１ないし第ｎのポイントそれぞれの単位点数当たりの価値を示す第１ないし第ｎのポイント価値データを記憶するポイント価値データ記憶手段と、貴金属地金の単位量当たりの価格を示す貴金属地金価格データを記憶する貴金属地金価格データ記憶手段と、にアクセス可能なコンピュータに、
前記第１ないし第ｎのポイント管理システムに前記第１ないし第ｎのログイン用データをそれぞれ用いてアクセスし、当該第１ないし前記第ｎのポイント管理システムそれぞれから、前記第１ないし第ｎのポイントそれぞれの、前記ユーザの有効な点数である有効点数を示す第１ないし第ｎの有効点数データを取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータプログラム。
【発明の詳細な説明】
【技術分野】
【０００１】
本発明は、ポイントを発行する事業者のコンピュータシステムを貴金属商のコンピュータシステムに連携させる技術に関する。
【背景技術】
【０００２】
従来、クレジットカード会社、航空会社、および百貨店などの事業者は、取引金額などに応じて顧客に対してポイントを与える。顧客は、自分が獲得したポイントの点数に応じて景品を受け取ることができる。このようなサービスは、一般に「ポイントサービス」または「マイレージサービス」などと呼ばれている。【０００３】
これらの事業者は、様々な景品を用意している。例えば、嗜好品、日用品、衣服、商品券など、様々な景品を用意している。【０００４】
近年、ポイントを景品に交換する申込をオンラインで受け付けるためのコンピュータシステムが普及している。このコンピュータシステムによって、顧客は、従来よりも手軽に申込を行うことができるようになった。【０００５】
また、近年、金、銀、および白金などの貴金属地金に興味を持つ消費者が増えている。貴金属地金は、装飾品にすることもできるし、資産として貯蓄しておくこともできる。【０００６】
貴金属商が顧客の貴金属地金を預かって管理するサービスが、普及している。顧客が貴金属地金の取引をオンラインで行うためのコンピュータシステムも、普及している。
【特許文献１】特開２００２−２７９２８１号公報
【発明の開示】
【発明が解決しようとする課題】
【０００７】
ところで、ポイントを発行する事業者のコンピュータシステムにおいて貴金属地金を景品として取り扱うことは、難しい。貴金属地金の価格が他の品物の価格に比べて変動が大きいので、交換のレートのデータベースを頻繁に設定し直さなければならないからである。【０００８】
そこで、ポイントを貴金属地金に交換する処理を行うために、ポイントを発行する事業者のコンピュータシステムと貴金属商のコンピュータシステムとを連携させることが、考えられる。【０００９】
しかし、従来、両コンピュータシステムを連携させる技術が存在しない。【００１０】
本発明は、ポイントを発行する事業者のコンピュータシステムと貴金属商のコンピュータシステムとを連携させるという技術的な課題を解決することを、目的とする。
【課題を解決するための手段】
【００１１】
本発明の一形態に係る貴金属地金管理システムは、ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムであって、前記第１ないし第ｎのポイント管理システムのそれぞれに前記ユーザがログインするためのログイン用情報をそれぞれ示す第１ないし第ｎのログイン用データを記憶するログイン用データ記憶手段と、前記第１ないし第ｎのポイントそれぞれの単位点数当たりの価値を示す第１ないし第ｎのポイント価値データを記憶するポイント価値データ記憶手段と、貴金属地金の単位量当たりの価格を示す貴金属地金価格データを記憶する貴金属地金価格データ記憶手段と、前記第１ないし第ｎのポイント管理システムに前記第１ないし第ｎのログイン用データをそれぞれ用いてアクセスし、当該第１ないし前記第ｎのポイント管理システムそれぞれから、前記第１ないし第ｎのポイントそれぞれの、前記ユーザの有効な点数である有効点数を示す第１ないし第ｎの有効点数データを取得する、有効点数データ取得手段と、前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する、交換可能量算出手段と、前記第１ないし第ｎのポイントそれぞれの前記交換可能量を纏めて表示するための表示用データを前記端末装置へ送信する表示用データ送信手段と、前記第１ないし第ｎのポイントごとの前記貴金属地金と交換する量である交換希望量を示す交換希望量データを前記端末装置から受信する交換希望量データ受信手段と、前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する、交換点数送信手段と、前記第１ないし第ｎのポイントそれぞれの前記交換希望量の合計分の前記貴金属地金を前記ユーザに対して与えるための処理を行う貴金属地金付与手段と、を有する。【００１２】
好ましくは、前記第１ないし第ｎのポイント管理システムのそれぞれに対して、前記第１ないし第ｎのポイントそれぞれの前記交換点数を前記貴金属地金に交換した代金の支払を要求するため処理を行う、支払要求手段、を有する。【００１３】
または、前記表示用データ送信手段は、前記表示用データとして、前記第１ないし第ｎのポイントそれぞれの前記交換可能量とともに、当該第１ないし第ｎのポイントそれぞれの前記有効点数と、当該第１ないし第ｎのポイントごとの前記交換希望量を入力するためのオブジェクトとを表示するためのデータを送信する。【００１４】
または、前記ログイン用データ記憶手段は、前記第１ないし第ｎのポイント管理システムそれぞれから送信されてきた前記第１ないし第ｎのログイン用データを記憶する。【００１５】
または、前記貴金属地金価格データ記憶手段は、前記貴金属地金価格データとして、前記第１ないし第ｎのポイントそれぞれを前記貴金属地金に交換する際の単位量当たりの価格を示す第１ないし第ｎの貴金属地金価格データを記憶し、前記交換可能量算出手段は、前記第１ないし第ｎのポイントそれぞれの前記交換可能量を、前記第１ないし第ｎの貴金属地金価格データに基づいて算出する。
【発明の効果】
【００１６】
本発明によると、ポイントを発行する事業者のコンピュータシステムと貴金属商のコンピュータシステムとを連携させることができる。
【図面の簡単な説明】
【００１７】
【図１】交換処理システムの全体的な構成の例を示す図である。
【図２】貴金属地金管理システムのハードウェア構成の例を示す図である。
【図３】貴金属地金管理システムの機能的構成の例を示す図である。
【図４】会員データの例を示す図である。
【図５】提携先データの例を示す図である。
【図６】ログイン用ページの例を示す図である。
【図７】登録用ページの例を示す図である。
【図８】交換レートデータおよびゴールド価格データの例を示す図である。
【図９】ポイントを貴金属地金に交換する際の処理の流れの例を示すシーケンス図である。
【図１０】ポイントを貴金属地金に交換する際の処理の流れの例を示すシーケンス図である。
【図１１】取引選択ページの例を示す図である。
【図１２】ポイント選択用ページの例を示す図である。
【図１３】交換量指定ページの例を示す図である。
【図１４】交換完了通知ページの例を示す図である。
【図１５】貴金属地金を売却する際の処理の流れの例を示すシーケンス図である。
【図１６】売却用ページの例を示す図である。
【図１７】貴金属地金管理システムの全体的な処理の流れの例を説明するフローチャートである。
【図１８】ポイント発行企業のウェブページの例を示す図である。
【発明を実施するための形態】
【００１８】
図１は、交換処理システム５の全体的な構成の例を示す図である。図２は、貴金属地金管理システム１のハードウェア構成の例を示す図である。図３は、貴金属地金管理システム１の機能的構成の例を示す図である。
【００１９】
図１に示す交換処理システム５は、「サービスポイント」または「マイル」などと呼ばれるポイントを、ゴールド（金）、プラチナ（白金）、およびシルバー（銀）などの貴金属地金に交換するための処理を行う。
【００２０】
交換処理システム５は、貴金属地金管理システム１、複数のポイント管理システム２、複数の端末装置３、および通信回線４などによって構成される。
【００２１】
貴金属地金管理システム１、ポイント管理システム２、および端末装置３は、通信回線４を介して通信を行うことができる。通信回線４として、公衆回線、専用線、またはインターネットなどが用いられる。
【００２２】
貴金属地金管理システム１は、貴金属地金を顧客から預かって保護する企業において用いられる。以下、貴金属地金管理システム１が貴金属商社Ｘにおいて用いられる場合を例に、説明する。貴金属商社Ｘは、顧客との間で貴金属地金をオンラインで取引している。取引のために、顧客ごとにユーザアカウントを発行している。以下、このユーザアカウントを「貴金属地金用アカウント」と記載する。また、顧客は端末装置３を使用して取引を行う。そこで、以下、顧客を「ユーザ」と記載する。
【００２３】
貴金属地金管理システム１は、１台または複数台のコンピュータ（例えば、いわゆるサーバ機）などによって構成される。以下、１台のサーバ機によって貴金属地金管理システム１が実現される場合を例に説明する。
【００２４】
貴金属地金管理システム１は、図２に示すように、ＣＰＵ（Central Processing Unit）１０ａ、ＲＡＭ（Random Access Memory）１０ｂ、ＲＯＭ（Read Only Memory）１０ｃ、大容量記憶装置１０ｄ、通信装置１０ｅ、およびＵＰＳ（Uninterrupted Power Supply）１０ｆなどによって構成される。
【００２５】
通信装置１０ｅは、ポイント管理システム２および端末装置３などとＴＣＰ／ＩＰ（Transmission Control Protocol/Internet Protocol）などのプロトコルで通信を行うための装置である。通信装置１０ｅとして、ＮＩＣ（Network Interface Card）が用いられる。
【００２６】
ＵＰＳ１０ｆは、商用電源の停電および瞬断による貴金属地金管理システム１の停止を防止するための予備電源装置である。
【００２７】
ＲＯＭ１０ｃまたは大容量記憶装置１０ｄには、図３に示すログイン処理部１０１、取引選択受付処理部１０２、ポイント選択受付処理部１０３、ポイント数データ取得部１０４、交換可能量算出部１０５、交換量受付処理部１０６、ポイント引受処理部１０７、保有量加算部１０８、交換実績通知部１０９、会員登録処理部１２１、ポイント登録処理部１２２、売却量受付処理部１２６、貴金属地金売却処理部１２７、会員データ記憶部１３１、提携先データ記憶部１３２、レートデータ記憶部１３３、および実績データ記憶部１３４などの機能を実現するためのソフトウェアが記憶されている。
【００２８】
このソフトウェアを構成する各モジュールは、必要に応じてＲＡＭ１０ｂにロードされ、ＣＰＵ１０ａによって実行される。これらのモジュールの機能の全部または一部を、ＡＳＩＣ（Application Specific Integrated Circuit）またはＦＰＧＡ（Field Programmable Gate Array）などの回路によって実現してもよい。
【００２９】
ポイント管理システム２は、自社のサービスを利用しまたは商品を購入してくれたユーザに対して取引金額などに応じてポイントを付与する企業において用いられる。ユーザは、自分が獲得したポイントを景品と交換することができる。クレジットカード会社、航空会社、百貨店、およびオンラインショップなどの企業が、ポイントを付与している。これらの企業を「ポイント発行企業」と記載する。
【００３０】
以下、ポイント管理システム２がポイント発行企業Ａ、ポイント発行企業Ｂ、およびポイント発行企業Ｃそれぞれによって用いられる場合を例に説明する。ポイント発行企業Ａ、ポイント発行企業Ｂ、およびポイント発行企業Ｃそれぞれのポイント管理システム２を、「ポイント管理システム２Ａ」、「ポイント管理システム２Ｂ」、および「ポイント管理システム２Ｃ」と区別して記載することがある。
【００３１】
ポイント発行企業Ａ、ポイント発行企業Ｂ、およびポイント発行企業Ｃは、ポイントと景品との交換をオンラインで行っている。交換のために、それぞれ独自に、自社の顧客（ユーザ）ごとにユーザアカウントを発行している。以下、このユーザアカウントを「ポイント用アカウント」と記載する。
【００３２】
ポイント管理システム２も、貴金属地金管理システム１と同様に、１台または複数台のコンピュータなどによって構成される。
【００３３】
端末装置３は、主に、貴金属地金用アカウントを有しかつポイント発行企業Ａ〜Ｃのうちの少なくとも１つのポイント発行企業のポイント用アカウントを有するユーザが自分のポイントを貴金属地金と交換するために用いる通信端末である。以下、各端末装置３を「端末装置３Ａ」、「端末装置３Ｂ」、…と区別して記載することがある。端末装置３として、ウェブブラウザがインストールされた通信端末、例えば、パーソナルコンピュータ、携帯電話端末、スマートフォン、またはＰＤＡ（Personal Digital Assistant）などが用いられる。
【００３４】
次に、図３に示す各部の機能を、データを管理するための機能、ポイントを貴金属地金に交換する機能、および貴金属地金を売買する機能に大別して説明する。また、ユーザが貴金属地金としてゴールドを貴金属商社Ｘに預かってもらう場合を例に説明する。
【００３５】
〔データを管理するための機能〕
図４は、会員データ６Ｋの例を示す図である。図５は、提携先データ６Ｔの例を示す図である。図６は、ログイン用ページＷＮ１の例を示す図である。図７は、登録用ページＷＮ２の例を示す図である。図８は、交換レートデータ６Ｒおよびゴールド価格データ６Ｌの例を示す図である。
【００３６】
会員データ記憶部１３１には、図４に示すように、貴金属地金用アカウントを有するユーザごとの会員データ６Ｋが記憶されている。
【００３７】
会員データ６Ｋには、会員コード、氏名、パスワード、ゴールド保有量、および振込先口座番号などの項目のデータが含まれている。
【００３８】
「会員コード」は、ユーザの貴金属地金用アカウントのＩＤ（identification）である。「氏名」は、ユーザの氏名である。「パスワード」は、ユーザが貴金属地金管理システム１へログインする際に用いられるパスワードである。「ゴールド保有量」は、ユーザが貴金属商社Ｘに現在預かってもらっているゴールドの量（グラム数）である。「振込先口座番号」は、預かってもらっているゴールドをユーザが貴金属商社Ｘへ売却した際の代金の振込先の銀行口座の番号である。
【００３９】
会員データ６Ｋは、次のように会員登録処理部１２１によって生成され会員データ記憶部１３１に記憶される。
【００４０】
ユーザは、貴金属商社Ｘに対して貴金属地金用アカウントを要求する。この際に、自分の氏名、貴金属地金を売却した際の代金の振込先とする銀行口座の番号（口座番号）、および希望のパスワードを通知する。
【００４１】
すると、貴金属商社Ｘの社員は、貴金属地金管理システム１に対して、通知された氏名、口座番号、およびパスワードを入力する。また、このユーザから既にゴールドを預かっている場合は、その預かっている量をゴールド保有量として入力する。
【００４２】
会員登録処理部１２１は、氏名、口座番号、およびパスワードが入力されると、ユニークな会員コードを発行し、これらの氏名、口座番号、パスワード、および会員コードを示す会員データ６Ｋを生成する。ただし、ゴールド保有量が入力された場合は、さらにこれをも示す会員データ６Ｋを生成する。そして、生成した会員データ６Ｋを会員データ記憶部１３１に記憶させる。
【００４３】
提携先データ記憶部１３２には、ユーザごとの提携先データ６Ｔが記憶されている。提携先データ６Ｔには、図５に示すように、ユーザが有するポイント用アカウントごとのアカウントデータ６Ｔｕが含まれている。したがって、ユーザがポイント発行企業Ａ〜Ｃすべてのポイント用アカウントを有する場合は、３つのポイント用アカウントそれぞれのアカウントデータ６Ｔｕが提携先データ６Ｔに含まれている。
【００４４】
アカウントデータ６Ｔｕには、ユーザがポイント管理システム２のへログインするために必要な情報が示されている。例えば、ポイント発行企業Ａのアカウントデータ６Ｔｕには、ユーザがポイント管理システム２Ａへログインするために必要な情報が含まれている。一般に、必要な情報の種類は、ポイント発行企業ごとに異なることがある。したがって、アカウントデータ６Ｔｕごとに、示される情報の種類が異なることがある。ただし、情報の種類の名称は様々であるものの、ユーザを識別するための識別子およびパスワードが少なくとも示されるのが、一般的である。
【００４５】
提携先データ６Ｔは、ポイント登録処理部１２２によって生成され提携先データ記憶部１３２に記憶される。以下、ユーザＰが端末装置３Ａを使用する場合を例に、ポイント登録処理部１２２による提携先データ６Ｔの生成の処理を説明する。
【００４６】
ユーザＰは、ウェブブラウザを端末装置３Ａに起動させ、貴金属地金管理システム１のウェブサイトのＵＲＬ（Uniform Resource Locator）を入力する。
【００４７】
端末装置３Ａは、このＵＲＬに基づいて貴金属地金管理システム１のウェブサイトにアクセスする。
【００４８】
すると、貴金属地金管理システム１において、ログイン処理部１０１は、ユーザＰを貴金属地金管理システム１のウェブサイトにログインさせるための処理を、次のように実行する。
【００４９】
ログイン処理部１０１は、図６のようなログイン用ページＷＮ１を表示するための画面データ６Ｗ１を端末装置３Ａへ送信する。端末装置３Ａは、画面データ６Ｗ１を受信すると、ウェブブラウザによってログイン用ページＷＮ１を表示する。なお、画面データ６Ｗ１は、ＨＴＭＬ（Hypertext Markup Language）またはＪａｖａ（登録商標）スクリプトなどによって記述されている。後述する他のページの画面データについても、同様である。また、端末装置３Ａの後述する各処理（例えば、データを送信する処理）は、画面データに基づいて行われる。
【００５０】
ここで、ユーザＰは、自分の貴金属地金用アカウントの会員コードおよびパスワードをそれぞれテキストボックスＴＸ１１およびＴＸ１２に入力し、ログインボタンＢＮ１１を押す。すると、端末装置３Ａは、入力された会員コードおよびパスワードを示すアカウントデータ６Ｕを貴金属地金管理システム１へ送信する。
【００５１】
ログイン処理部１０１は、アカウントデータ６Ｕを受信すると、アカウントデータ６Ｕを、会員データ記憶部１３１に記憶されている会員データ６Ｋと照合することによって、ユーザ認証を行う。そして、いずれかの会員データ６Ｋに示される会員コードおよびパスワードとアカウントデータ６Ｕに示される会員コードおよびパスワードとが一致する場合は、ユーザＰの正当性を認め、ユーザＰを貴金属地金管理システム１のウェブサイトにログインさせる。
【００５２】
ログインの後、ユーザＰが所定の操作を行うと、ポイント登録処理部１２２は、図７（Ａ）のような登録用ページＷＮ２を表示するための画面データ６Ｗ２を端末装置３Ａへ送信する。端末装置３Ａは、画面データ６Ｗ２を受信すると、登録用ページＷＮ２を表示する。なお、所定の操作の一例は、後述するポイント選択用ページＷＮ４（図１２参照）において新規登録ボタンＢＮ４２を押す操作である。
【００５３】
登録用ページＷＮ２には、ポイント発行企業Ａ〜ＣごとのラジオボタンＲＢ２１〜ＲＢ２３および入力領域ＲＹ２などが設けられている。ユーザＰは、自分がポイント用アカウントを有するポイント発行企業に対応するラジオボタンを押す。
【００５４】
すると、入力領域ＲＹ２には、そのポイント発行企業のポイント管理システム２へログインするために必要な情報を入力するためのテキストボックスが現れる。例えば、ラジオボタンＲＢ２１が押されると、図７（Ａ）のように、ポイント発行企業Ａのポイント管理システム２（つまり、ポイント管理システム２Ａ）へログインするために必要な情報を入力するためのテキストボックスＴＸ２１〜ＴＸ２３が現れる。または、ラジオボタンＲＢ２２が押されると、図７（Ｂ）のように、ポイント発行企業Ｂのポイント管理システム２（つまり、ポイント管理システム２Ｂ）へログインするために必要な情報を入力するためのテキストボックスＴＸ２４、ＴＸ２５が現れる。
【００５５】
ここで、ユーザＰは、自分が有するポイント用アカウントごとにログインに必要な情報を入力し、登録ボタンＢＮ２１を押す。すると、端末装置３Ａは、入力された情報と選択されたラジオボタンに対応するポイント発行企業の識別子とを示すデータをアカウントデータ６Ｔｕとして貴金属地金管理システム１へ送信する。例えば、ポイント発行企業Ａ〜Ｃそれぞれのポイント用アカウントについてログインに必要な情報を入力した場合は、３つのポイント用アカウントそれぞれのアカウントデータ６Ｔｕを送信する。
【００５６】
ポイント登録処理部１２２は、１つまたは複数のアカウントデータ６Ｔｕを受信すると、これらのアカウントデータ６Ｔｕを含むデータを提携先データ６Ｔとして生成する。そして、提携先データ記憶部１３２に記憶させる。
【００５７】
レートデータ記憶部１３３には、交換レートデータ６Ｒ、交換ゴールド価格データ６ＬＥ、および買取ゴールド価格データ６ＬＴが記憶されている。
【００５８】
交換レートデータ６Ｒは、ポイント発行企業Ａ〜Ｃのポイントごとの、景品との交換の際の１点当たりの価値を示している。本実施形態では、図８（Ａ）のように、ポイント１点当たりの価値を日本円で示している。
【００５９】
交換ゴールド価格データ６ＬＥは、ポイントをゴールドと交換する際に適用する単位量当たりのゴールドの価格を示している。以下、この価格を「交換ゴールド価格」と記載する。
【００６０】
買取ゴールド価格データ６ＬＴは、ゴールドを貴金属商社Ｘがユーザから買い取る際に適用する単位量当たりのゴールドの価格を示している。以下、この価格を「買取ゴールド価格」と記載する。
【００６１】
交換レートデータ６Ｒは、ポイントの価値が変わるたびに更新される。また、ゴールド価格データ６ＬＥは、交換ゴールド価格が変わるたびに更新され、買取ゴールド価格データ６ＬＴは、買取ゴールド価格が変わるたびに更新される。しかし、ポイントの価値が変わることは稀なので、交換レートデータ６Ｒは、ほぼ、固定的である。一方、交換ゴールド価格データ６ＬＥおよび買取ゴールド価格データ６ＬＴは、交換ゴールド価格および買取ゴールド価格が金相場に応じて変わるので、流動的である。交換レートデータ６Ｒ交換ゴールド価格データ６ＬＥ、および買取ゴールド価格データ６ＬＴは、貴金属商社Ｘの社員による貴金属地金管理システム１の操作によって、適宜、更新される。交換ゴールド価格データ６ＬＥおよび買取ゴールド価格データ６ＬＴは、インターネット上のウェブサイトなどから発信される金相場の情報に応じて自動的に更新されるようにしてもよい。
【００６２】
実績データ記憶部１３４には、ユーザがポイントをゴールドと交換した実績およびユーザがゴールドを貴金属商社Ｘに売却した実績を示す実績データが記憶される。これについては、後述する。
【００６３】
〔ポイントを貴金属地金に交換する機能〕
図９および図１０は、ポイントを貴金属地金に交換する際の処理の流れの例を示すシーケンス図である。図１１は、取引選択ページＷＮ３の例を示す図である。図１２は、ポイント選択用ページＷＮ４の例を示す図である。図１３は、交換量指定ページＷＮ５の例を示す図である。図１４は、交換完了通知ページＷＮ６の例を示す図である。
【００６４】
ユーザは、自分が獲得したポイントをゴールドに交換することができる。しかも、複数のポイント発行企業のポイントを纏めてゴールドに交換することができる。以下、この仕組みを、ユーザＰが端末装置３Ａを使用する場合を例に、図９および図１０のシーケンス図などを参照しながら説明する。
【００６５】
ユーザＰは、端末装置３Ａのウェブブラウザによって貴金属地金管理システム１のウェブサイトにアクセスする（＃７０１）。
【００６６】
すると、貴金属地金管理システム１において、ログイン処理部１０１は、ユーザＰを貴金属地金管理システム１のウェブサイトにログインさせるための処理を、端末装置３Ａと連携して行う。この処理の手順は、前に説明した通りである。つまり、ログイン処理部１０１は、画面データ６Ｗ１を端末装置３Ａへ送信する（＃７２１）。端末装置３Ａは、画面データ６Ｗ１を受信すると（＃７０２）、図６のようなログイン用ページＷＮ１を表示し（＃７０３）、ユーザＰが入力した会員コードおよびパスワードを示すデータをアカウントデータ６Ｕとして送信する（＃７０４）。ログイン処理部１０１は、アカウントデータ６Ｕを受信し（＃７２２）、ユーザ認証を行う（＃７２３）。
【００６７】
なお、ログイン用ページＷＮ１のレート提示領域ＲＹ１には、単位量当たりのゴールドの価格が示されている。これは、交換ゴールド価格データ６ＬＥ（図８（Ｂ）参照）に示される交換ゴールド価格である。図６の例では、１グラム当たりの交換ゴールド価格を示しているが、０．１グラム当たりの交換ゴールド価格を示してもよい。後述する取引選択ページＷＮ３のレート提示領域ＲＹ３（図１１参照）についても、同様である。
【００６８】
取引選択受付処理部１０２は、ユーザＰのログインの完了の後、ユーザＰが所望する取引の種類の選択を受け付ける処理を次のように実行する。
【００６９】
取引選択受付処理部１０２は、図１１のような取引選択ページＷＮ３を表示するための画面データ６Ｗ３を端末装置３Ａへ送信する（＃７２４）。端末装置３Ａは、画面データ６Ｗ３を受信すると（＃７０５）、取引選択ページＷＮ３を表示する（＃７０６）。
【００７０】
取引選択ページＷＮ３には、取引の３つの種類それぞれに対応する選択ボタンＢＮ３１〜ＢＮ３３が設けられている。ユーザＰは、自分が所望する取引の種類に対応する選択ボタンを押す。すると、端末装置３Ａは、選択された種類を示す取引選択データ６Ｈを貴金属地金管理システム１へ送信する（＃７０７）。ここでは、ユーザＰは、選択ボタンＢＮ３１を押して交換を選択する。
【００７１】
取引選択受付処理部１０２は、取引選択データ６Ｈを端末装置３Ａから受信することによって、ユーザＰが選択した種類を受け付ける（＃７２５）。
【００７２】
ポイント選択受付処理部１０３は、取引の種類として「交換」が取引選択データ６Ｈに示されていることを認識すると（＃７２６）、ゴールドに交換するポイントの発行元であるポイント発行企業の選択を受け付ける処理を次のように実行する。
【００７３】
ポイント選択受付処理部１０３は、図１２のようなポイント選択用ページＷＮ４を表示するための画面データ６Ｗ４を端末装置３Ａへ送信する（＃７２７）。端末装置３Ａは、画面データ６Ｗ４を受信すると（＃７０８）、ポイント選択用ページＷＮ４を表示する（＃７０９）。
【００７４】
ポイント選択用ページＷＮ４には、ユーザＰにポイント用アカウントを与えているポイント発行企業ごとのチェックボックスが設けられている。さらに、チェックボックスの横には、ユーザＰのポイント用アカウントの識別用の情報が記されている。これらは、ユーザＰの提携先データ６Ｔ（図５参照）に基づいている。ユーザＰがポイント発行企業Ａ〜Ｃのポイントサービスに加入している場合は、ポイント選択用ページＷＮ４には、チェックボックスＣＢ４１〜ＣＢ４３が設けられている。ユーザＰは、ゴールドに交換したいポイントを発行するポイント発行企業に対応するチェックボックスにチェックを入れる。複数のチェックボックスにチェックを入れてもよい。そして、ユーザＰは、決定ボタンＢＮ４１を押す。
【００７５】
すると、端末装置３Ａは、選択されたポイント発行企業を示す発行元選択データ６Ｅを貴金属地金管理システム１へ送信する（＃７１０）。
【００７６】
ポイント選択受付処理部１０３は、発行元選択データ６Ｅを端末装置３Ａから受信することによって、ユーザＰが選択したポイント発行企業を受け付ける（＃７２８）。
【００７７】
ポイント数データ取得部１０４は、ユーザＰが選択したポイント発行企業がユーザＰに対して現在発行しているポイントの数を示すポイント数データを取得する処理を次のように行う。
【００７８】
ポイント数データ取得部１０４は、ユーザＰの提携先データ６Ｔを提携先データ記憶部１３２から読み出す。そして、発行元選択データ６Ｅに示されるポイント発行企業のポイント管理システム２にアクセスし、ポイント管理システム２Ａにおけるポイントの数の問合せのプロトコルまたはＡＰＩ（Application Program Interface）などに従って、このポイント発行企業のアカウントデータ６Ｔｕをこのポイント管理システム２へ送信する（＃７２９）。
【００７９】
例えば、発行元選択データ６Ｅにポイント発行企業Ａが示される場合は、ポイント管理システム２Ａにアクセスし、ポイント管理システム２Ａおける問合せのプロトコルに従って、この提携先データ６Ｔに含まれるポイント発行企業Ａのアカウントデータ６Ｔｕをポイント管理システム２Ａへ送信する。
【００８０】
各ポイント発行企業のポイント管理システム２は、アカウントデータ６Ｔｕを受信すると（＃７４１）、これに基づいてユーザＰが現在有するポイントの数を検索し（＃７４２）、この数を示すポイント数データ６Ｍを貴金属地金管理システム１へ送信する（図１０の＃７４３）。
【００８１】
そして、ポイント数データ取得部１０４は、ポイント管理システム２Ａからポイント数データ６Ｍを受信する（＃７３０）。
【００８２】
例えば、発行元選択データ６Ｅにポイント発行企業Ａ〜Ｃの３つのポイント発行企業が示される場合は、ポイント数データ取得部１０４は、上述の処理によって、３つのポイント数データ６Ｍを取得する。
【００８３】
交換可能量算出部１０５は、各ポイント発行企業のポイントと交換することができるゴールドの量（以下、「交換可能量ＭＰ」と記載する。）を、次の（１）式によって算出する（＃７３１）。
ＭＰ＝ＵＴ・ＲＴ／ＳＰ  ……  （１）
なお、「ＵＴ」は、ポイント数データ取得部１０４が取得したポイント数データ６Ｍに示されるポイントの数である。「ＲＴ」は、レートデータ記憶部１３３に記憶されている交換レートデータ６Ｒ（図８（Ａ）参照）に示される、ポイント１点当たりの価値である。「ＳＰ」は、レートデータ記憶部１３３に記憶されている交換ゴールド価格データ６ＬＥに示される交換ゴールド価格である。
【００８４】
例えば、ユーザＰが有するポイント発行企業Ａのポイントと交換することができるゴールドの量（交換可能量ＭＰ）は、ポイント管理システム２Ａから取得されたポイント数データ６Ｍに示されるポイントの数と、交換レートデータ６Ｒに示されるポイント発行企業Ａのポイント１点当たりの価値と、交換ゴールド価格データ６ＬＥ（図８（Ｂ）参照）に示される交換ゴールド価格とを、（１）式に代入することによって、算出することができる。ポイント発行企業Ｂのポイントの交換可能量ＭＰおよびポイント発行企業Ｃのポイントの交換可能量ＭＰも、同様の方法によって算出することができる。
【００８５】
交換量受付処理部１０６は、ユーザＰがポイントと交換したいゴールドの量の指定を受け付ける処理を次のように実行する。
【００８６】
交換量受付処理部１０６は、図１３のような交換量指定ページＷＮ５を表示するための画面データ６Ｗ５を端末装置３Ａへ送信する（＃７３２）。端末装置３Ａは、画面データ６Ｗ５を受信すると（＃７１１）、交換量指定ページＷＮ５を表示する（＃７１２）。
【００８７】
交換量指定ページＷＮ５には、ユーザＰが現在有する、ポイント発行企業ごとのポイントの数と、各ポイントの交換可能量ＭＰとが、示されている。ポイントの数は、各ポイント発行企業のポイント管理システム２から取得されたポイント数データ６Ｍに示されているものである。交換可能量ＭＰは、交換可能量算出部１０５によって算出されたものである。さらに、交換量指定ページＷＮ５には、各ポイント発行企業のポイントと交換するゴールドの量を入力するためのテキストボックスＴＸ５１〜ＴＸ５３が設けられている。
【００８８】
ユーザＰは、それぞれのポイントと交換したいゴールドの量（以下、「希望交換量」と記載する。）を、テキストボックスＴＸ５１〜ＴＸ５３に入力する。そして、一部交換ボタンＢＮ５１を押す。ただし、ユーザＰは、それぞれのポイントの希望交換量は、それぞれのポイントの交換可能量ＭＰを超えてはならない。
【００８９】
すると、端末装置３Ａは、各ポイントについて入力された希望交換量を示す交換指示データ６Ｙを貴金属地金管理システム１へ送信する（＃７１３）。
【００９０】
交換量受付処理部１０６は、交換指示データ６Ｙを端末装置３Ａから受信することによって、ユーザＰがポイントと交換したいゴールドの量（希望交換量）の指定を受け付ける（＃７３３）。
【００９１】
または、ユーザＰは、すべてのポイントをゴールドに交換したい場合は、全部選択ボタンＢＮ５２を押す。すると、端末装置３Ａは、各ポイントの交換可能量ＭＰを希望交換量として示すデータを、交換指示データ６Ｙとして貴金属地金管理システム１へ送信する。例えば、図１３の交換量指定ページＷＮ５において全部選択ボタンＢＮ５２が押された場合は、端末装置３Ａは、ポイント発行企業Ａ〜Ｃそれぞれのポイントの希望交換量として２．０グラム、１．５グラム、および５．０グラムを示す交換指示データ６Ｙを貴金属地金管理システム１へ送信する。
【００９２】
ポイント引受処理部１０７、保有量加算部１０８、および交換実績通知部１０９は、ユーザＰが指定した通りにポイントをゴールドに交換するための処理を次のように実行する。
【００９３】
ポイント引受処理部１０７は、ポイント引受データ６Ｆを生成する（＃７３４）。そして、交換指示データ６Ｙに示されるポイント発行企業のポイント管理システム２にアクセスし、このポイント管理システム２におけるポイントと景品との交換の要求のプロトコルまたはＡＰＩなどに従ってポイント引受データ６Ｆをこのポイント管理システム２へ送信する（＃７３５）。
【００９４】
ポイント引受データ６Ｆには、ユーザＰがそのポイント発行企業のポイント管理システム２にログインするために必要な情報と、ユーザＰがゴールドに交換したいポイントの数（以下、「交換希望ポイント数」と記載する。）とが、示される。
【００９５】
ログインするために必要な情報は、ユーザＰの提携先データ６Ｔ（図５参照）の中の、そのポイント発行企業のポイント用アカウントに対応するアカウントデータ６Ｔｕに示されているものである。
【００９６】
一方、交換希望ポイント数は、交換指示データ６Ｙに示されている、このポイント発行企業のポイントについての希望交換量、および、次の（２）式とに基づいて、算出することができる。
ＤＴ＝ＤＰ・ＳＰ／ＲＴ  ……  （２）
ただし、「ＤＴ」は、交換希望ポイント数である。「ＤＰ」は、希望交換量である。
【００９７】
例えば、交換指示データ６Ｙにポイント発行企業Ａが示されている場合は、ポイント引受処理部１０７は、ユーザＰがポイント管理システム２Ａにログインするために必要な情報とポイント発行企業Ａの交換希望ポイント数とを示すポイント引受データ６Ｆを生成する。そして、ポイント管理システム２Ａへ送信する。交換指示データ６Ｙに示されるポイント発行企業が複数ある場合は、ポイント発行企業ごとにポイント引受データ６Ｆに示される内容が異なる。
【００９８】
各ポイント発行企業のポイント管理システム２は、ポイント引受データ６Ｆを受信すると（＃７４４）、ユーザＰが有するポイントの数を、ポイント引受データ６Ｆに示されるポイントの数だけ減らす処理を実行する（＃７４５）。つまり、ユーザＰのポイントを、ゴールドに交換する分だけ消費させる。
【００９９】
一方、保有量加算部１０８は、ユーザＰの会員データ６Ｋを、交換指示データ６Ｙに示される希望交換量をゴールド保有量に加算されるように更新する（＃７３６）。なお、複数のポイント発行企業のポイントについて希望交換量が示されている場合は、すべての希望交換量が加算されるように更新する。
【０１００】
ポイント引受処理部１０７および保有量加算部１０８による処理が完了したら、各ポイント発行企業へ送信されたポイント引受データ６Ｆが、現在の日付および送信先のポイント発行企業と対応付けられて実績データ記憶部１３４に記憶される（＃７３７）。さらに、図１４のような交換完了通知ページＷＮ６を表示するための画面データ６Ｗ６が端末装置３Ａへ送信される（＃７３８）。端末装置３Ａは、画面データ６Ｗ６を受信すると（＃７１４）、交換完了通知ページＷＮ６を表示する（＃７１５）。
【０１０１】
交換実績通知部１０９は、所定の期間（例えば、ひと月の初日から末日まで）に実績データ記憶部１３４に記憶されたポイント引受データ６Ｆに示される交換希望ポイント数をポイント発行企業Ａ〜Ｃごとに集計し、集計結果を示す交換集計データ６Ｑをそれぞれのポイント管理システム２Ａ〜２Ｃへ送信する（＃７３９）。これにより、所定の期間におけるポイントとゴールドとの交換の実績が各ポイント発行企業のポイント管理システム２へ通知される。また、この際に、交換希望ポイント数の対価を貴金属商社Ｘへ支払うように要求する。
【０１０２】
各ポイント発行企業のポイント管理システム２は、交換集計データ６Ｑを受信すると（＃７４６）、ポイント引受データ６Ｆに示される交換希望ポイント数の対価を貴金属商社Ｘへ支払うための処理を実行する（＃７４７）。
【０１０３】
なお、ステップ＃７３９および＃７４６〜＃７４７の処理は、貴金属地金管理システム１およびポイント管理システム２とは別のシステムによって行ってもよい。
【０１０４】
〔貴金属地金を売却する機能〕
図１５は、貴金属地金を売却する際の処理の流れの例を示すシーケンス図である。図１６は、売却用ページＷＮ７の例を示す図である。
【０１０５】
ユーザは、貴金属商社Ｘに預かってもらっているゴールドをオンラインで売却することができる。以下、この仕組みを、ユーザＰが端末装置３Ａを使用する場合を例に、図１５のシーケンス図などを参照しながら説明する。
【０１０６】
ユーザＰは、端末装置３Ａのウェブブラウザによって貴金属地金管理システム１のウェブサイトにアクセスする（＃７５１）。
【０１０７】
すると、貴金属地金管理システム１において、ログイン処理部１０１は、ユーザＰを貴金属地金管理システム１のウェブサイトにログインさせるための処理を、端末装置３Ａと連携して実行する（＃７５２〜＃７５４、＃７７１〜＃７７３）。この処理の内容は、図９のステップ＃７０２〜＃７０４および＃７２１〜＃７２３で説明した通りである。
【０１０８】
取引選択受付処理部１０２は、ユーザＰのログインの完了の後、ユーザＰが所望する取引の種類の選択を受け付ける処理を、端末装置３Ａと連携して実行する（＃７５５〜＃７５７、＃７７４〜＃７７５）。この処理の手順は、図９のステップ＃７０５〜＃７０７、＃７２４〜＃７２５の手順と同様である。ただし、ユーザＰは、取引選択ページＷＮ３（図１１参照）において、取引の種類として「売却」を選択するために、選択ボタンＢＮ３２を押す。したがって、端末装置３Ａは、ステップ＃７５７において、「売却」を示すデータを取引選択データ６Ｈとして貴金属地金管理システム１へ送信する。
【０１０９】
売却量受付処理部１２６および貴金属地金売却処理部１２７は、取引の種類として「売却」が取引選択データ６Ｈに示される場合に、貴金属商社ＸがユーザＰからゴールドを買い取る処理を次のように実行する。
【０１１０】
売却量受付処理部１２６は、取引の種類として「売却」が取引選択データ６Ｈに示されていることを認識すると（＃７７６）、図１６（Ａ）のような売却用ページＷＮ７を表示するための画面データ６Ｗ７を端末装置３Ａへ送信する（＃７７７）。端末装置３Ａは、画面データ６Ｗ７を受信すると（＃７５８）、売却用ページＷＮ７を表示する（＃７５９）。
【０１１１】
売却用ページＷＮ７には、売却するゴールドの量を決める３つの方法それぞれに対応する方法選択ボタンＢＮ７１〜ＢＮ７３などが設けられている。ユーザＰは、決め方に対応する方法選択ボタンを押す。すると、売却用ページＷＮ７の入力領域ＲＹ７に、この決め方に応じたオブジェクトが現れる。
【０１１２】
方法選択ボタンＢＮ７１が押された場合は、図１６（Ａ）に示すように、テキストボックスＴＸ７１および売却ボタンＢＮ７４のほか、ユーザＰが現在預かってもらっているゴールドの量およびその売却の金額が現れる。ゴールドの量は、会員データ記憶部１３１に記憶されているユーザＰの会員データ６Ｋに示されるゴールド保有量である。売却の金額は、このゴールド保有量とレートデータ記憶部１３３に記憶されている買取ゴールド価格データ６ＬＴ（図８（Ｃ）参照）に示される買取ゴールド価格とを乗算することによって、求められる。
【０１１３】
ユーザＰは、売却するゴールドの量（以下、「売却希望量」と記載する。）をグラム数でテキストボックスＴＸ７１に入力する。すると、売却希望量に単位買取価格を掛けた値が今回の買取の金額として現れる。そして、ユーザＰが売却ボタンＢＮ７４を押すと、端末装置３Ａは、入力された売却希望量を示すデータを売却量データ６Ｊとして貴金属地金管理システム１へ送信する（＃７６０）。
【０１１４】
または、方法選択ボタンＢＮ７２が押された場合は、図１６（Ｂ）に示すように、テキストボックスＴＸ７２および売却ボタンＢＮ７４のほか、ユーザＰが現在預かってもらっているゴールドの量およびその売却の金額が現れる。
【０１１５】
ユーザＰは、売却するゴールドの量を金額でテキストボックスＴＸ７２に入力する。すると、売却希望量が現れる。売却希望量は、入力された金額を買取ゴールド価格で割ることによって求められる。そして、ユーザＰが売却ボタンＢＮ７４を押すと、端末装置３Ａは、売却希望量を示すデータを売却量データ６Ｊとして貴金属地金管理システム１へ送信する（＃７６０）。
【０１１６】
または、方法選択ボタンＢＮ７３が押された場合は、売却ボタンＢＮ７４、ユーザＰが現在預かってもらっているゴールドの量、およびその売却の金額が現れる。そして、ユーザＰが売却ボタンＢＮ７４を押すと、端末装置３Ａは、このゴールドの量を売却希望量として示すデータを売却量データ６Ｊとして貴金属地金管理システム１へ送信する（＃７６０）。
【０１１７】
そして、売却量受付処理部１２６は、端末装置３Ａから売却量データ６Ｊを受信することによって、売却するゴールドの量の指定を受け付ける（＃７７８）。
【０１１８】
貴金属地金売却処理部１２７は、ユーザＰの会員データ６Ｋを、売却量データ６Ｊに示される売却希望量だけゴールド保有量を減らすことによって更新する（＃７７９）。そして、売却希望量に買取ゴールド価格を掛けた額の金銭を、この会員データ６Ｋに示される口座番号の銀行口座に振り込むように、銀行のオンラインシステムに対して要求する（＃７８０）。なお、売却量データ６Ｊを実績データ記憶部１３４に記憶させておき、振込の処理を、所定の期間（例えば、一日の午前０時から午後１２時まで）に受信した売却量データ６Ｊの分、纏めて行ってもよい。
【０１１９】
図１７は、貴金属地金管理システム１の全体的な処理の流れの例を説明するフローチャートである。
【０１２０】
次に、図１７のフローチャートを参照しながら、貴金属地金管理システム１の全体的な処理の流れについて説明する。
【０１２１】
図１７において、貴金属地金管理システム１は、端末装置３からのアクセスがあると、この端末装置３のユーザのユーザ認証の処理を実行する（＃１１）。この処理の内容は、前に図９のステップ＃７２１〜＃７２３で説明した通りである。
【０１２２】
このユーザの正当性が確認できれば（＃１２でＹｅｓ）、貴金属地金管理システム１は、この端末装置３へ画面データ６Ｗ３を送信することによって、取引選択ページＷＮ３（図をこの端末装置３に表示させる（＃１３）。
【０１２３】
取引選択ページＷＮ３において「交換」が選択された場合は（＃１４でＹｅｓ）、貴金属地金管理システム１は、ポイントを貴金属地金に交換するための処理を実行する（＃１５）。この処理の内容は、前に図９〜図１０のステップ＃７２６〜＃７３８で説明した通りである。なお、この処理の過程で、ユーザがポイント用アカウントの登録の操作を行った場合は（図７参照）、貴金属地金管理システム１は、このポイント用アカウントのアカウントデータ６Ｔｕを生成しこのユーザの提携先データ６Ｔに追加する処理を行う。
【０１２４】
または、取引選択ページＷＮ３において「売却」が選択された場合は（＃１４でＮｏ、＃１６でＹｅｓ）、貴金属地金管理システム１は、ユーザから貴金属地金を買い取る処理を実行する（＃１７）。この処理の内容は、前に図１５の＃７７６〜＃７８０で説明した通りである。
【０１２５】
そのほか、所定のタイミング（例えば、１ヶ月が終了したタイミング）になったら、貴金属地金管理システム１は、貴金属地金と交換したポイントの対価を貴金属商社Ｘへ支払うようにポイント発行企業Ａ〜Ｃに対して要求する処理を実行する。
【０１２６】
本実施形態によると、ポイント発行企業のポイント管理システム２と貴金属商Ｘの貴金属地金管理システム１とを連携させることができる。
【０１２７】
そして、ユーザの獲得したポイントを貴金属地金に交換することができる。しかも、複数のポイント発行企業がそれぞれ独自に発行するポイントを一度に纏めて貴金属地金に交換することができる。よって、ポイントの利便性を高め、ポイント発行企業のサービスへの加入を促進することができる。
【０１２８】
図１８は、ポイント発行企業Ａ〜ＣのウェブページＷＮ８の例を示す図である。ユーザがポイント発行企業Ａ〜Ｃのいずれかのウェブサイトにログインした後に端末装置３に表示するウェブページＷＮ８に、図１８に示すように、ログイン用ページＷＮ１（図６参照）へリンクするオブジェクトを設けておいてもよい。そして、このオブジェクトが選択されると、このポイント管理システム２へこのユーザがアクセスするためのデータが貴金属地金管理システム１へ自動的に登録されるようにしてもよい。オブジェクトは、ボタンＢＮ８１のようなボタンであってもよいし、バナーであってもよい。以下、この仕組みの一例を、ユーザＰが端末装置３Ａを操作してポイント管理システム２Ａにログインしている場合を例に説明する。
【０１２９】
ユーザＰがボタンＢＮ８１を選択すると、ポイント管理システム２Ａは、ポイント管理システム２Ａにログインするのに必要な情報（例えば、クレジットカード番号、有効期限、およびパスワード）を示すログイン用データ６Ｚ（図示しない）を貴金属地金管理システム１へ送信する。また、端末装置３Ａは、ログイン用ページＷＮ１を貴金属地金管理システム１に対して要求する。
【０１３０】
貴金属地金管理システム１は、ログイン用データ６Ｚを受信するとともに、端末装置３Ａへ画面データ６Ｗ１を送信することによって、端末装置３Ａにログイン用ページＷＮ１を表示させる。
【０１３１】
そして、ユーザＰが貴金属地金管理システム１へログインしたら、貴金属地金管理システム１は、受信したログイン用データ６ＺをユーザＰのアカウントデータ６Ｔｕとして、ユーザＰの提携先データ６Ｔ（図５参照）に追加する。ユーザＰの提携先データ６Ｔが未だ生成されていない場合は、この際に生成すればよい。
【０１３２】
その後、ユーザＰが取引選択ページＷＮ３において選択ボタンＢＮ３１を押した場合は、ポイント選択用ページＷＮ４に、少なくともポイント発行企業Ａが選択肢として現れる。つまり、ユーザＰは、図７に示した登録用ページＷＮ２によるポイント発行企業Ａのポイント用アカウントの登録の操作を行うことなく、ポイント発行企業Ａを選択することができる。
【０１３３】
本実施形態では、貴金属地金としてゴールド（金）を取り扱う場合を例に説明したが、プラチナ（白金）およびシルバー（銀）を取り扱う場合にも、本発明を適用することができる。
【０１３４】
本実施形態では、ポイントの価値および貴金属地金の価格を表わす通貨の単位として円を用いたが、他の国の通貨の単位を用いてもよい。
【０１３５】
本実施形態では、交換ゴールド価格データ６ＬＥをポイント発行企業Ａ〜Ｃで共通に使用したが、ポイント発行企業ごとに異なる交換ゴールド価格データ６ＬＥを用意し使用してもよい。そして、各交換ゴールド価格データ６ＬＥに示される交換ゴールド価格を、貴金属商社Ｘと各ポイント発行企業との間での契約（例えば、手数料に関する契約）に応じて個別に設定してもよい。
【０１３６】
本実施形態では、図１３などで説明したように、交換する貴金属地金の量は、貴金属地金のグラム数で指定されたが、貴金属地金に交換するポイントの数で指定されるようにしてもよい。
【０１３７】
本実施形態では、ポイント発行企業が３社である場合を例に説明したが、２社である場合も４社以上である場合も、本発明を適用することができる。
【０１３８】
その他、交換処理システム５、貴金属地金管理システム１、ポイント管理システム２の全体または各部の構成、処理内容、処理順序、データの構成、および画面の構成などは、本発明の趣旨に沿って適宜変更することができる。
【図１】
2013186821.tif 000003
【図２】
2013186821.tif 000004
【図３】
2013186821.tif 000005
【図４】
2013186821.tif 000006
【図５】
2013186821.tif 000007
【図６】
2013186821.tif 000008
【図７】
2013186821.tif 000009
【図８】
2013186821.tif 000010
【図９】
2013186821.tif 000011
【図１０】
2013186821.tif 000012
【図１１】
2013186821.tif 000013
【図１２】
2013186821.tif 000014
【図１３】
2013186821.tif 000015
【図１４】
2013186821.tif 000016
【図１５】
2013186821.tif 000017
【図１６】
2013186821.tif 000018
【図１７】
2013186821.tif 000019
【図１８】
2013186821.tif 000020
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムであって、
前記第１ないし第ｎのポイントそれぞれの単位点数当たりの価値を示す第１ないし第ｎのポイント価値データを記憶するポイント価値データ記憶手段と、
貴金属地金の単位量当たりの価格を示す貴金属地金価格データを記憶する貴金属地金価格データ記憶手段と、
前記第１ないし前記第ｎのポイント管理システムそれぞれから、前記第１ないし第ｎのポイントそれぞれの、前記ユーザの有効な点数である有効点数を示す第１ないし第ｎの有効点数データを取得する、有効点数データ取得手段と、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する、交換可能量算出手段と、
前記第１ないし第ｎのポイントそれぞれの前記交換可能量を纏めて表示するための表示用データを前記端末装置へ送信する表示用データ送信手段と、
前記第１ないし第ｎのポイントごとの前記貴金属地金と交換する量である交換希望量を示す交換希望量データを前記端末装置から一括して受信する交換希望量データ受信手段と、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する、交換点数送信手段と、
前記第１ないし第ｎのポイントそれぞれの前記交換希望量の合計分の前記貴金属地金を前記ユーザに対して与えるための処理を行う貴金属地金付与手段と、
を有することを特徴とする貴金属地金管理システム。
【請求項２】
前記第１ないし第ｎのポイント管理システムのそれぞれに前記ユーザがログインするためのログイン用情報をそれぞれ示す第１ないし第ｎのログイン用データを記憶するログイン用データ記憶手段、を有し、
前記有効点数データ取得手段は、前記第１ないし第ｎのポイント管理システムに前記第１ないし第ｎのログイン用データをそれぞれ用いてアクセスしてから、前記有効点数データを取得する、
請求項１に記載の貴金属地金管理システム。
【請求項３】
前記第１ないし第ｎのポイント管理システムのそれぞれに対して、前記第１ないし第ｎのポイントそれぞれの前記交換点数を前記貴金属地金に交換した代金の支払を要求するため処理を行う、支払要求手段、を有する、
請求項１または請求項２に記載の貴金属地金管理システム。
【請求項４】
前記表示用データ送信手段は、前記表示用データとして、前記第１ないし第ｎのポイントそれぞれの前記交換可能量とともに、当該第１ないし第ｎのポイントそれぞれの前記有効点数と、当該第１ないし第ｎのポイントごとの前記交換希望量を入力するためのオブジェクトとを表示するためのデータを送信する、
請求項１ないし請求項３のいずれかに記載の貴金属地金管理システム。
【請求項５】
前記ログイン用データ記憶手段は、前記第１ないし第ｎのポイント管理システムそれぞれから送信されてきた前記第１ないし第ｎのログイン用データを記憶する、
請求項１ないし請求項４のいずれかに記載の貴金属地金管理システム。
【請求項６】
前記貴金属地金価格データ記憶手段は、前記貴金属地金価格データとして、前記第１ないし第ｎのポイントそれぞれを前記貴金属地金に交換する際の単位量当たりの価格を示す第１ないし第ｎの貴金属地金価格データを記憶し、
前記交換可能量算出手段は、前記第１ないし第ｎのポイントそれぞれの前記交換可能量を、前記第１ないし第ｎの貴金属地金価格データに基づいて算出する、
請求項１ないし請求項５のいずれかに記載の貴金属地金管理システム。
【請求項７】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムに、
前記第１ないし第ｎのポイントそれぞれの単位点数当たりの価値を示す第１ないし第ｎのポイント価値データを記憶するポイント価値データ記憶手段を設けておき、
貴金属地金の単位量当たりの価格を示す貴金属地金価格データを記憶する貴金属地金価格データ記憶手段を設けておき、
前記第１ないし前記第ｎのポイント管理システムそれぞれから、前記第１ないし第ｎのポイントそれぞれの、前記ユーザの有効な点数である有効点数を示す第１ないし第ｎの有効点数データを取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から一括して受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータシステム連携方法。
【請求項８】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができ、前記第１ないし第ｎのポイントそれぞれの単位点数当たりの価値を示す第１ないし第ｎのポイント価値データを記憶するポイント価値データ記憶手段と、貴金属地金の単位量当たりの価格を示す貴金属地金価格データを記憶する貴金属地金価格データ記憶手段と、にアクセス可能なコンピュータに、
前記第１ないし前記第ｎのポイント管理システムそれぞれから、前記第１ないし第ｎのポイントそれぞれの、前記ユーザの有効な点数である有効点数を示す第１ないし第ｎの有効点数データを取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から一括して受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータプログラム。
【手続補正２】
【補正対象書類名】明細書
【補正対象項目名】００１１
【補正方法】変更
【補正の内容】
【００１１】
本発明の一形態に係る貴金属地金管理システムは、ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムであって、前記第１ないし第ｎのポイントそれぞれの単位点数当たりの価値を示す第１ないし第ｎのポイント価値データを記憶するポイント価値データ記憶手段と、貴金属地金の単位量当たりの価格を示す貴金属地金価格データを記憶する貴金属地金価格データ記憶手段と、前記第１ないし前記第ｎのポイント管理システムそれぞれから、前記第１ないし第ｎのポイントそれぞれの、前記ユーザの有効な点数である有効点数を示す第１ないし第ｎの有効点数データを取得する、有効点数データ取得手段と、前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する、交換可能量算出手段と、前記第１ないし第ｎのポイントそれぞれの前記交換可能量を纏めて表示するための表示用データを前記端末装置へ送信する表示用データ送信手段と、前記第１ないし第ｎのポイントごとの前記貴金属地金と交換する量である交換希望量を示す交換希望量データを前記端末装置から一括して受信する交換希望量データ受信手段と、前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する、交換点数送信手段と、前記第１ないし第ｎのポイントそれぞれの前記交換希望量の合計分の前記貴金属地金を前記ユーザに対して与えるための処理を行う貴金属地金付与手段と、を有する。
さらに、前記第１ないし第ｎのポイント管理システムのそれぞれに前記ユーザがログインするためのログイン用情報をそれぞれ示す第１ないし第ｎのログイン用データを記憶するログイン用データ記憶手段、を有し、前記有効点数データ取得手段は、前記第１ないし第ｎのポイント管理システムに前記第１ないし第ｎのログイン用データをそれぞれ用いてアクセスしてから、前記有効点数データを取得してもよい。
【手続補正書】
【提出日】平成27年5月13日(2015.5.13)
【手続補正１】
【補正対象書類名】特許請求の範囲
【補正対象項目名】請求項１
【補正方法】変更
【補正の内容】
【請求項１】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムであって、
前記第１ないし第ｎのポイントそれぞれの単位点数当たりの価値を示す第１ないし第ｎのポイント価値データを記憶するポイント価値データ記憶手段と、
貴金属地金の単位量当たりの価格を示す貴金属地金価格データを記憶する貴金属地金価格データ記憶手段と、
前記第１ないし前記第ｎのポイント管理システムそれぞれから、前記第１ないし第ｎのポイントそれぞれの、前記ユーザの有効な点数である有効点数を示す第１ないし第ｎの有効点数データを、当該ポイントと前記貴金属地金との交換のためのサイトへ前記端末装置がアクセスした後に取得する、有効点数データ取得手段と、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する、交換可能量算出手段と、
前記第１ないし第ｎのポイントそれぞれの前記交換可能量を纏めて表示するための表示用データを前記端末装置へ送信する表示用データ送信手段と、
前記第１ないし第ｎのポイントごとの前記貴金属地金と交換する量である交換希望量を示す交換希望量データを前記端末装置から一括して受信する交換希望量データ受信手段と、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する、交換点数送信手段と、
前記第１ないし第ｎのポイントそれぞれの前記交換希望量の合計分の前記貴金属地金を前記ユーザに対して与えるための処理を行う貴金属地金付与手段と、
を有することを特徴とする貴金属地金管理システム。
【手続補正２】
【補正対象書類名】特許請求の範囲
【補正対象項目名】請求項７
【補正方法】変更
【補正の内容】
【請求項７】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムに、
前記第１ないし第ｎのポイントそれぞれの単位点数当たりの価値を示す第１ないし第ｎのポイント価値データを記憶するポイント価値データ記憶手段を設けておき、
貴金属地金の単位量当たりの価格を示す貴金属地金価格データを記憶する貴金属地金価格データ記憶手段を設けておき、
前記第１ないし前記第ｎのポイント管理システムそれぞれから、前記第１ないし第ｎのポイントそれぞれの、前記ユーザの有効な点数である有効点数を示す第１ないし第ｎの有効点数データを、当該ポイントと前記貴金属地金との交換のためのサイトへ前記端末装置がアクセスした後に取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から一括して受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータシステム連携方法。
【手続補正３】
【補正対象書類名】特許請求の範囲
【補正対象項目名】請求項８
【補正方法】変更
【補正の内容】
【請求項８】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができ、前記第１ないし第ｎのポイントそれぞれの単位点数当たりの価値を示す第１ないし第ｎのポイント価値データを記憶するポイント価値データ記憶手段と、貴金属地金の単位量当たりの価格を示す貴金属地金価格データを記憶する貴金属地金価格データ記憶手段と、にアクセス可能なコンピュータに、
前記第１ないし前記第ｎのポイント管理システムそれぞれから、前記第１ないし第ｎのポイントそれぞれの、前記ユーザの有効な点数である有効点数を示す第１ないし第ｎの有効点数データを、当該ポイントと前記貴金属地金との交換のためのサイトへ前記端末装置がアクセスした後に取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から一括して受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータプログラム。
【手続補正４】
【補正対象書類名】明細書
【補正対象項目名】００１１
【補正方法】変更
【補正の内容】
【００１１】
本発明の一形態に係る貴金属地金管理システムは、ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムであって、前記第１ないし第ｎのポイントそれぞれの単位点数当たりの価値を示す第１ないし第ｎのポイント価値データを記憶するポイント価値データ記憶手段と、貴金属地金の単位量当たりの価格を示す貴金属地金価格データを記憶する貴金属地金価格データ記憶手段と、前記第１ないし前記第ｎのポイント管理システムそれぞれから、前記第１ないし第ｎのポイントそれぞれの、前記ユーザの有効な点数である有効点数を示す第１ないし第ｎの有効点数データを、当該ポイントと前記貴金属地金との交換のためのサイトへ前記端末装置がアクセスした後に取得する、有効点数データ取得手段と、前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する、交換可能量算出手段と、前記第１ないし第ｎのポイントそれぞれの前記交換可能量を纏めて表示するための表示用データを前記端末装置へ送信する表示用データ送信手段と、前記第１ないし第ｎのポイントごとの前記貴金属地金と交換する量である交換希望量を示す交換希望量データを前記端末装置から一括して受信する交換希望量データ受信手段と、前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する、交換点数送信手段と、前記第１ないし第ｎのポイントそれぞれの前記交換希望量の合計分の前記貴金属地金を前記ユーザに対して与えるための処理を行う貴金属地金付与手段と、を有する。
【手続補正書】
【提出日】平成27年6月10日(2015.6.10)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムであって、
前記第１ないし第ｎのポイントそれぞれの単位点数当たりの価値を示す第１ないし第ｎのポイント価値データを記憶するポイント価値データ記憶手段と、
貴金属地金の単位量当たりの価格を示す貴金属地金価格データを記憶する貴金属地金価格データ記憶手段と、
前記第１ないし前記第ｎのポイント管理システムそれぞれから、前記第１ないし第ｎのポイントそれぞれの、前記ユーザの有効な点数である有効点数を示す第１ないし第ｎの有効点数データを、当該ポイントと前記貴金属地金との交換のためのサイトへ前記端末装置がアクセスした後に取得する、有効点数データ取得手段と、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する、交換可能量算出手段と、
前記第１ないし第ｎのポイントそれぞれの前記交換可能量を纏めて表示するための表示用データを前記端末装置へ送信する表示用データ送信手段と、
前記第１ないし第ｎのポイントごとの前記貴金属地金と交換する量である交換希望量を示す交換希望量データを前記端末装置から一括して受信する交換希望量データ受信手段と、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する、交換点数送信手段と、
前記第１ないし第ｎのポイントそれぞれの前記交換希望量の合計分の前記貴金属地金を前記ユーザに対して与えるための処理を行う貴金属地金付与手段と、
を有することを特徴とする貴金属地金管理システム。
【請求項２】
前記第１ないし第ｎのポイント管理システムのそれぞれに前記ユーザがログインするためのログイン用情報をそれぞれ示す第１ないし第ｎのログイン用データを記憶するログイン用データ記憶手段、を有し、
前記有効点数データ取得手段は、前記第１ないし第ｎのポイント管理システムに前記第１ないし第ｎのログイン用データをそれぞれ用いてアクセスしてから、前記有効点数データを取得する、
請求項１に記載の貴金属地金管理システム。
【請求項３】
前記第１ないし第ｎのポイント管理システムのそれぞれに対して、前記第１ないし第ｎのポイントそれぞれの前記交換点数を前記貴金属地金に交換した代金の支払を要求するため処理を行う、支払要求手段、を有する、
請求項１または請求項２に記載の貴金属地金管理システム。
【請求項４】
前記表示用データ送信手段は、前記表示用データとして、前記第１ないし第ｎのポイントそれぞれの前記交換可能量とともに、当該第１ないし第ｎのポイントそれぞれの前記有効点数と、当該第１ないし第ｎのポイントごとの前記交換希望量を入力するためのオブジェクトとを表示するためのデータを送信する、
請求項１ないし請求項３のいずれかに記載の貴金属地金管理システム。
【請求項５】
前記ログイン用データ記憶手段は、前記第１ないし第ｎのポイント管理システムそれぞれから送信されてきた前記第１ないし第ｎのログイン用データを記憶する、
請求項１ないし請求項４のいずれかに記載の貴金属地金管理システム。
【請求項６】
前記貴金属地金価格データ記憶手段は、前記貴金属地金価格データとして、前記第１ないし第ｎのポイントそれぞれを前記貴金属地金に交換する際の単位量当たりの価格を示す第１ないし第ｎの貴金属地金価格データを記憶し、
前記交換可能量算出手段は、前記第１ないし第ｎのポイントそれぞれの前記交換可能量を、前記第１ないし第ｎの貴金属地金価格データに基づいて算出する、
請求項１ないし請求項５のいずれかに記載の貴金属地金管理システム。
【請求項７】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができる貴金属地金管理システムに、
前記第１ないし第ｎのポイントそれぞれの単位点数当たりの価値を示す第１ないし第ｎのポイント価値データを記憶するポイント価値データ記憶手段を設けておき、
貴金属地金の単位量当たりの価格を示す貴金属地金価格データを記憶する貴金属地金価格データ記憶手段を設けておき、
前記第１ないし前記第ｎのポイント管理システムそれぞれから、前記第１ないし第ｎのポイントそれぞれの、前記ユーザの有効な点数である有効点数を示す第１ないし第ｎの有効点数データを、当該ポイントと前記貴金属地金との交換のためのサイトへ前記端末装置がアクセスした後に取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から一括して受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータシステム連携方法。
【請求項８】
ユーザに対して第１ないし第ｎ（ｎ≧２）の事業者がそれぞれ独自に発行した第１ないし第ｎのポイントを管理する第１ないし第ｎのポイント管理システムおよび前記ユーザの端末装置と通信回線を介して接続することができ、前記第１ないし第ｎのポイントそれぞれの単位点数当たりの価値を示す第１ないし第ｎのポイント価値データを記憶するポイント価値データ記憶手段と、貴金属地金の単位量当たりの価格を示す貴金属地金価格データを記憶する貴金属地金価格データ記憶手段と、にアクセス可能なコンピュータに、
前記第１ないし前記第ｎのポイント管理システムそれぞれから、前記第１ないし第ｎのポイントそれぞれの、前記ユーザの有効な点数である有効点数を示す第１ないし第ｎの有効点数データを、当該ポイントと前記貴金属地金との交換のためのサイトへ前記端末装置がアクセスした後に取得する処理を実行させ、
前記第１ないし第ｎの有効点数データにそれぞれ示される前記有効点数の前記第１ないし第ｎのポイントと交換することができる前記貴金属地金の量である交換可能量を、前記第１ないし第ｎのポイント価値データおよび前記貴金属地金価格データに基づいて算出する処理を実行させ、
前記第１ないし第ｎのポイントそれぞれの前記交換可能量を纏めて表示するための表示用データを前記端末装置へ送信する処理を実行させ、
前記第１ないし第ｎのポイントごとの前記貴金属地金と交換する量である交換希望量を示す交換希望量データを前記端末装置から一括して受信する処理を実行させ、
前記貴金属地金との交換に伴い前記有効点数を消費させるために、前記第１ないし第ｎのポイント管理システムのそれぞれに対して、前記第１ないし第ｎのポイントそれぞれの前記交換希望量に相当する点数である交換点数を示す第１ないし第ｎの交換点数データを送信する処理を実行させ、
前記第１ないし第ｎのポイントそれぞれの前記交換希望量の合計分の前記貴金属地金を前記ユーザに対して与えるための処理を実行させる、
ことを特徴とするコンピュータプログラム。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
【国際調査報告】
2013186821.tif 000021
2013186821.tif 000022